(57)【要約】【課題】コストを低減すること、事前カンファレンスでの手術用器具の選定作業および手術の準備を容易にすること、手術の効率の低下を抑制すること、および、手術中に手術現場で最適形状を得ることが可能な手術用器具を提供する。【解決手段】手術用器具１１は、手術中に体内に挿入されるとともに屈曲している屈曲部１１ａをその端部に備えている。この手術用器具１１では、少なくとも屈曲部１１ａは、形状記憶合金で形成されている。【選択図】図５
2015053945.tif 000002
【特許請求の範囲】
【請求項１】
手術中に体内に挿入されるとともに屈曲している屈曲部を端部に備え、
少なくとも前記屈曲部は、形状記憶合金で形成されていることを特徴とする手術用器具。
【請求項２】
前記屈曲部をなす前記手術用器具の端部は、前記形状記憶合金の形状回復温度以上になると、直線状または平面状をなす元の形状に戻ることを特徴とする請求項１記載の手術用器具。
【請求項３】
前記屈曲部が形成される屈曲部形成部と、前記屈曲部形成部が接合される基部とを備え、
前記屈曲部形成部は、前記形状記憶合金で形成され、前記基部は、前記形状記憶合金以外の金属材料で形成されていることを特徴とする請求項１または２記載の手術用器具。
【請求項４】
前記屈曲部形成部と前記基部とは、焼嵌め、ろう付けまたはネジによって接合されていることを特徴とする請求項３記載の手術用器具。
【請求項５】
前記形状記憶合金の形状回復温度は、人間の体温以上となっていることを特徴とする請求項１から４のいずれかに記載の手術用器具。
【請求項６】
前記形状記憶合金の形状回復温度は、５０℃以上６０℃以下となっていることを特徴とする請求項５記載の手術用器具。
【請求項７】
前記形状記憶合金の変態開始温度は、０℃以上となっていることを特徴とする請求項１から６のいずれかに記載の手術用器具。
【請求項８】
前記形状記憶合金の変態開始温度は、人間の体温以上となっていることを特徴とする請求項７記載の手術用器具。
【請求項９】
請求項１から８のいずれかに記載の手術用器具と、前記手術用器具の端部を屈曲させて前記屈曲部を形成するための屈曲用治具とを備えることを特徴とする手術用器具システム。
【発明の詳細な説明】
【技術分野】
【０００１】
本発明は、鉗子、鑷子または鉤等の手術時に使用される手術用器具に関する。また、本発明は、かかる手術用器具を備える手術用器具システムに関する。
【背景技術】
【０００２】
手術を行う際には、鉗子、鑷子（ピンセット）または鉤等の様々な手術用器具が使用される。鉤は、端部がかぎ状に屈曲している器具であり、患者の体内の組織に引っ掛けて体内から組織を取り出す際に使用される。鉗子および鑷子は、患者の体内の組織を把持する際に使用されるものであり、手術時には、先端部が屈曲している鉗子や鑷子も使用される。手術用器具には、所定の剛性が要求されるため、また、手術後の手術用器具を高圧蒸気内で洗浄、滅菌する必要があるため、手術用器具は、一般に、スレンレス鋼やチタン合金等の生体毒性の少ない金属材料によって形成されている。なお、先端部が屈曲している鉗子は、たとえば、特許文献１に開示されている。
【先行技術文献】
【特許文献】
【０００３】
【特許文献１】特開２００１−２４５８９３号公報
【発明の概要】
【発明が解決しようとする課題】
【０００４】
手術時に使用される手術用器具は、手術が行われる疾患の場所、程度および状態によって異なる。また、同じ疾患に対する手術でも様々な手術の術式があり、手術で採用される術式に応じて使用される手術用器具が異なる。さらに、同じ術式で手術をする場合であっても、執刀する医師によって使いやすい手術用器具と使いにくい手術用器具とがある。そのため、手術用器具は、非常に多種多様である。たとえば、手術時に使用される鉤として、端部の屈曲部分の形状や曲率の異なる非常に多くの種類の鉤がある。また、手術時に使用される鉗子や鑷子として、先端部の屈曲部分の形状や曲率の異なる非常に多くの種類の鉗子や鑷子がある。
【０００５】
そのため、病院では、屈曲部分の形状や曲率の異なる非常に多くの種類の鉤や鉗子等を購入して保管する必要があり、初期の購入コストおよび購入後の管理コストが嵩む。また、手術前には、事前カンファレンスにおいて、手術で使用する鉤や鉗子等を選定する必要があるが、非常に多くの種類の鉤や鉗子等があると、事前カンファレンスでの選定作業が煩雑になる。また、手術時に必要な鉤や鉗子等が手術現場にないといったことがないように、事前カンファレンスでは、比較的多くの種類の鉤や鉗子等が選定されるため、手術の準備も煩雑になる。
【０００６】
さらに、比較的多くの種類の鉤や鉗子等を準備しても、実際の手術の状況に応じて、執刀医が使用したい最適形状の鉤や鉗子等が手術現場にないことがある。この場合には、手術中に、鉤や鉗子等が保管される材料室から最適形状の鉤や鉗子等を取り寄せるといったことも、手術現場では発生しており、手術の効率が低下する。また、比較的多くの種類の鉤や鉗子等が手術現場にあると、執刀医と器具出しの看護師との間のコミュニケーションも煩雑になり、手術の効率が低下する。
【０００７】
また、実際に手術を行う中で、手術の状況に応じて、既成品の鉤や鉗子等の屈曲部分の形状や曲率と異なる形状や曲率の屈曲部分を有する最適形状の鉤や鉗子等を使用したくなることもある。たとえば、手術の状況に応じて、既成品の鉤の屈曲部分と異なる形状や曲率の屈曲部分を有する最適形状の鉤を使用したくなることがある。この場合には、ステンレス鋼等の薄い金属の平板で形成されたへらの端部を執刀医が手術中に手術現場で最適形状に屈曲して使用するといったことが、実際の手術現場で行われている。使用されたへらは再利用されるため、手術後に、屈曲しているへらを元の平板状に戻すが、一度屈曲したへらは、完全な平板状には戻らない。そのため、再利用されるへらを執刀医が最適形状に屈曲して使用することが困難になる。また、繰り返しでへらを屈曲させると、へらが加工硬化を起こして破断するおそれがあり、へらが破断すると、新しいへらを購入する必要があるため、コストが嵩む。
【０００８】
そこで、本発明の課題は、コストを低減すること、事前カンファレンスでの手術用器具の選定作業および手術の準備を容易にすること、手術の効率の低下を抑制すること、および、手術中に手術現場で最適形状を得ることが可能な手術用器具を提供することにある。また、本発明の課題は、かかる手術用器具を備える手術用器具システムを提供することにある。
【課題を解決するための手段】
【０００９】
上記の課題を解決するため、本発明の手術用器具は、手術中に体内に挿入されるとともに屈曲している屈曲部を端部に備え、少なくとも屈曲部は、形状記憶合金で形成されていることを特徴とする。
【００１０】
本発明の手術用器具では、屈曲部は形状記憶合金で形成されている。すなわち、本発明では、屈曲部をなす手術用器具の端部が形状記憶合金で形成されている。そのため、本発明では、手術用器具の端部を屈曲させて手術ごとに必要となる形状に屈曲部を形成することで、手術時に必要とされる手術用器具を準備することが可能になる。また、本発明では、手術用器具の端部が形状記憶合金で形成されているため、たとえば、手術後に手術用器具を高圧蒸気内で洗浄、滅菌する際に、屈曲していた手術用器具の端部を元の形状に確実に戻すことが可能になり、次の手術の前に、手術用器具の端部を屈曲させてその手術時に必要となる形状に屈曲部を形成することで、その手術時に必要とされる手術用器具を準備することが可能になる。また、手術用器具の端部を破断させることなく、手術用器具を再利用することが可能になる。したがって、本発明では、屈曲部の形状や曲率の異なる非常に多くの種類の手術用器具を購入して保管しなくても、手術用器具を再利用しつつ、手術時に必要とされる手術用器具を準備することが可能になり、その結果、手術用器具の初期の購入コストおよび購入後の管理コストを低減することが可能になる。
【００１１】
また、本発明では、手術用器具の端部を屈曲させて手術ごとに必要となる形状に屈曲部を形成することで、手術時に必要な手術用器具を準備することが可能になるため、既成品の手術用器具にはない最適形状の手術用器具を準備することが可能になる。したがって、本発明の手術用器具を使用すれば、最適な手術を行うことが可能になる。特に本発明では、手術用器具の端部が形状記憶合金で形成されているため、実際の手術の状況に応じて、準備された手術用器具の屈曲部と異なる形状や曲率の屈曲部を有する手術用器具を執刀医が使用したくなった場合には、手術中に手術現場において、屈曲していた手術用器具の端部を元の形状に確実に戻してから再び屈曲させて、最適形状の屈曲部を形成することが可能になる。したがって、本発明では、手術中に手術現場において、最適形状の手術用器具を得ることが可能になり、その結果、本発明の手術用器具を使用すれば、より最適な手術を行うことが可能になる。また、最適形状の手術用器具を手術現場で得ることが可能になるため、手術の効率の低下を抑制することが可能になる。
【００１２】
さらに、本発明では、手術用器具の端部を屈曲させて屈曲部を形成することで、最適形状の手術用器具を準備することが可能になるため、手術の際に比較的少ない種類の手術用器具を準備すれば良い。したがって、手術の準備が容易になる。また、手術の際に準備される手術用器具の種類が比較的少ないため、手術の際の、執刀医と器具出しの看護師との間のコミュニケーションが容易になり、手術の効率の低下を抑制することが可能になる。また、手術用器具の端部を屈曲させて屈曲部を形成することで、最適形状の手術用器具を準備することが可能になるため、非常に多くの種類の手術用器具の中から手術に必要な手術用器具を事前カンファレンスで選定する必要がない。したがって、手術前の事前カンファレンスでの手術用器具の選定作業が容易になる。
【００１３】
本発明において、屈曲部をなす手術用器具の端部は、形状記憶合金の形状回復温度以上になると、直線状または平面状をなす元の形状に戻ることが好ましい。このように構成すると、手術の前等に、直線状または平面状に形成される手術用器具の端部を曲げて屈曲部を形成すれば良いため、手術で必要とされる形状に屈曲部を形成しやすくなる。
【００１４】
本発明において、手術用器具は、屈曲部が形成される屈曲部形成部と、屈曲部形成部が接合される基部とを備え、屈曲部形成部は、形状記憶合金で形成され、基部は、形状記憶合金以外の金属材料で形成されていることが好ましい。形状記憶合金の値段は、他の金属材料と比較して高いため、このように構成すると、手術用器具の全体が形状記憶合金で形成されている場合と比較して、手術用器具のコストを低減することが可能になる。
【００１５】
本発明において、屈曲部形成部と基部とは、焼嵌め、ろう付けまたはネジによって接合されていることが好ましい。このように構成すると、屈曲部形成部と基部との接合強度を高めることが可能になるとともに、屈曲部形成部と基部との接合部分の耐熱性を高めることが可能になる。また、このように構成すると、屈曲部形成部と基部とを接合するための接着剤が使用されないため、生体毒性の少ない手術用器具を構成することが可能になる。
【００１６】
本発明において、形状記憶合金の形状回復温度は、人間の体温以上となっていることが好ましい。このように構成すると、屈曲部が形状記憶合金で形成されていても、屈曲部となっている手術用器具の端部が手術中に元の形状に戻るのを防止することが可能になる。
【００１７】
本発明において、形状記憶合金の形状回復温度は、５０℃以上６０℃以下となっていることが好ましい。このように構成すると、手術中に、たとえば、加熱した生理食塩水に手術用器具の端部を漬けることで、手術現場において、屈曲していた手術用器具の端部（すなわち、屈曲部）を元の形状に確実に戻すことが可能になる。したがって、実際の手術の状況に応じて、準備された手術用器具の屈曲部と異なる形状や曲率の屈曲部を有する手術用器具を執刀医が使用したくなった場合には、手術中に手術現場において、比較的容易に、屈曲していた手術用器具の端部を元の形状に確実に戻してから再び屈曲させて、最適形状の屈曲部を形成することが可能になる。
【００１８】
本発明において、形状記憶合金の変態開始温度は、０℃以上となっていることが好ましい。このように構成すると、手術中に手術現場において、元の形状に戻っている手術用器具の端部を比較的容易に変態開始温度以下にすることが可能になる。したがって、変態開始温度以下となっている手術用器具の端部を再び屈曲させて、適切な屈曲部を形成することが可能になる。
【００１９】
本発明において、形状記憶合金の変態開始温度は、人間の体温以上となっていることが好ましい。このように構成すると、屈曲部が形状記憶合金で形成されていても、屈曲部となっている手術用器具の端部が手術中に変形するのを防止することが可能になる。
【００２０】
本発明の手術用器具は、この手術用器具の端部を屈曲させて屈曲部を形成するための屈曲用治具を備える手術用器具システムに用いることができる。この手術用器具システムでは、手術用器具のコストを低減すること、事前カンファレンスでの手術用器具の選定作業および手術の準備を容易にすること、手術の効率の低下を抑制すること、および、手術現場で手術用器具の最適形状を得ることが可能になる。また、この手術用器具システムでは、屈曲用治具を用いて、元の形状に戻っている手術用器具の端部を比較的容易に曲げて屈曲部を形成することが可能になる。
【発明の効果】
【００２１】
以上のように、本発明では、手術用器具のコストを低減すること、事前カンファレンスでの手術用器具の選定作業および手術の準備を容易にすること、手術の効率の低下を抑制すること、および、手術中に手術現場で手術用器具の最適形状を得ることが可能になる。
【図面の簡単な説明】
【００２２】
【図１】本発明の実施の形態にかかる手術用器具の平面図である。
【図２】図１のＥ−Ｅ方向から手術用器具の先端部の形状の例を示す図である。
【図３】図１のＦ部の拡大図である。
【図４】図３のＧ−Ｇ断面の断面図である。
【図５】本発明の他の実施の形態にかかる手術用器具の斜視図である。
【図６】図５に示す手術用器具の両端部が元の形状に戻っているときの状態を示す斜視図である。
【発明を実施するための形態】
【００２３】
以下、図面を参照しながら、本発明の実施の形態を説明する。
【００２４】
（手術用器具の構成）
図１は、本発明の実施の形態にかかる手術用器具１の平面図である。図２は、図１のＥ−Ｅ方向から手術用器具１の先端部の形状の例を示す図である。図３は、図１のＦ部の拡大図である。図４は、図３のＧ−Ｇ断面の断面図である。
【００２５】
本形態の手術用器具１は、患者の体内の組織を把持する際に使用される鉗子である。したがって、以下では、本形態の手術用器具１を「鉗子１」と表記する。体内に挿入される鉗子１の先端部は、屈曲している屈曲部１ａとなっている。すなわち、屈曲部１ａは、鉗子１の先端部を構成している。鉗子１は、屈曲部１ａが形成される屈曲部形成部としての把持部１ｂと、把持部１ｂが接合される基部１ｃとから構成されている。把持部１ｂは、鉗子１の先端側部分を構成し、基部１ｃは、鉗子１の基端側部分を構成している。また、鉗子１は、連結軸２と、連結軸２によって互いに相対回動可能に連結される一対の鉗子部材３、４によって構成されている。
【００２６】
把持部１ｂは、患者の体内に挿入されて体内の組織を把持する。この把持部１ｂは、形状記憶合金で形成されている。具体的には、把持部１ｂは、ニッケルチタン系の合金からなる形状記憶合金で形成されている。この形状記憶合金の形状回復温度は、人間の体温以上となっている。人間は、体温が４２℃を超えると死に至る。そのため、この形状記憶合金の形状回復温度は、４２℃以上となっている。具体的には、この形状記憶合金の形状回復温度は、４５℃以上となっている。本形態では、この形状記憶合金の形状回復温度は、５０℃以上６０℃以下となっている。また、この形状記憶合金の変態開始温度は、０℃以上となっている。なお、把持部１ｂは、ニッケルチタン系の合金以外の合金からなる形状記憶合金で形成されても良い。
【００２７】
把持部１ｂの先端部は、屈曲部１ａとなっている。屈曲部１ａは、鉗子１が使用される手術で必要とされる形状に形成されている。たとえば、屈曲部１ａは、図２（Ａ）、（Ｂ）または（Ｃ）のいずれかに示すように、図１のＥ−Ｅ方向から見たときの形状が略二次曲線となる曲線状に屈曲している。把持部１ｂの先端部（すなわち、鉗子１の先端部）の元の形状は、図２（Ｄ）に示すように、直線状になっている。そのため、把持部１ｂの温度が形状回復温度以上になると、図２（Ａ）〜（Ｃ）のいずれかに示すように屈曲していた把持部１ｂの先端部（すなわち、屈曲部１ａ）は、図２（Ｄ）に示すように直線状をなす元の形状に戻る。また、把持部１ｂの基端側には、基部１ｃに接合される被接合部１ｄが基部１ｃに向かって突出するように形成されている。なお、屈曲部１ａは、図１のＥ−Ｅ方向から見たときの形状が略二次曲線以外の形状となるように屈曲していても良い。
【００２８】
基部１ｃは、連結軸２と、基部１ｃの基端側部分を構成するとともに手術を行う執刀医の指が挿入される２個の指環１ｅと、連結軸２と指環１ｅとの間に配置されるアーム１ｆと、連結軸２よりも基部１ｃの先端側に配置され基部１ｃの先端側部分を構成するとともに把持部１ｂが接合される接合部１ｇとから構成されている。また、基部１ｃは、形状記憶合金以外の金属材料で形成されている。具体的には、基部１ｃは、生体毒性の少ない（または生体毒性のない）金属材料で形成されている。本形態の基部１ｃは、ステンレス鋼で形成されている。なお、基部１ｃは、チタン合金で形成されても良いし、タングステンカーバイトで形成されても良い。
【００２９】
接合部１ｇの先端には、把持部１ｂの被接合部１ｄが挿入されて固定される固定孔１ｈが形成されている。本形態では、固定孔１ｈに被接合部１ｄが焼嵌めされることで、あるいは、固定孔１ｈに被接合部１ｄが挿入された状態で把持部１ｂと基部１ｃとがろう付けされることで、把持部１ｂと基部１ｃとが接合されている。すなわち、本形態では、焼嵌めまたはろう付けによって把持部１ｂと基部１ｃとが接合されている。なお、被接合部１ｄの外周面にオネジが形成されるとともに固定孔１ｈの内周面にメネジが形成されても良い。すなわち、ネジによって把持部１ｂと基部１ｃとが接合されても良い。
【００３０】
本形態では、図２（Ｄ）に示すように元の形状に戻っている把持部１ｂの先端部を手術前に屈曲させて、その手術で必要となる形状に屈曲部１ａを形成することで、手術時に必要とされる１種類または何種類かの鉗子１を準備する。たとえば、図２（Ａ）に示すように屈曲する屈曲部１ａを有する鉗子１、図２（Ｂ）に示すように屈曲する屈曲部１ａを有する鉗子１、および、図２（Ｃ）に示すように屈曲する屈曲部１ａを有する鉗子１の３種類の鉗子１を準備する。
【００３１】
また、手術後には、オートクレーブによる鉗子１の洗浄、滅菌処理が行われるが、オートクレーブでは、約１３０℃の高温環境下で鉗子１の洗浄、滅菌が行われるため、屈曲していた把持部１ｂの先端部は、元の形状に戻る。また、手術時の状況によって、準備された鉗子１の屈曲部１ａと異なる形状や曲率の屈曲部１ａを有する鉗子１を執刀医が使用したくなった場合には、手術中に手術現場において、屈曲部１ａを加熱して屈曲していた把持部１ｂの先端部を元の形状に戻してから再び、把持部１ｂの先端部を屈曲させて最適形状の屈曲部１ａを形成する。なお、本形態では、ペンチ等の工具を利用して、把持部１ｂの先端部を屈曲させて屈曲部１ａを形成する。
【００３２】
（本形態の主な効果）
以上説明したように、本形態では、屈曲部１ａが形成される把持部１ｂが形状記憶合金で形成されており、手術前に、把持部１ｂの先端部を屈曲させて、その手術で必要となる形状に屈曲部１ａを形成することで、手術時に必要とされる鉗子１を準備している。また、本形態では、手術後に行われる洗浄、滅菌処理の際の熱によって、屈曲していた把持部１ｂの先端部が元の形状に戻るため、次の手術の前に、把持部１ｂの先端部を屈曲させて、その手術で必要となる形状に屈曲部１ａを形成することで、その手術時に必要とされる鉗子１を準備することができる。また、把持部１ｂの先端部を破断させることなく、鉗子１を再利用することができる。したがって、本形態では、屈曲部１ａの形状や曲率の異なる非常に多くの種類の鉗子１を購入して保管しなくても、鉗子１を再利用しつつ、手術時に必要とされる鉗子１を準備することが可能になり、その結果、鉗子１の初期の購入コストおよび購入後の管理コストを低減することが可能になる。
【００３３】
また、本形態では、把持部１ｂの先端部を屈曲させて手術ごとに必要となる形状に屈曲部１ａを形成することで、手術時に必要な鉗子１を準備しているため、既成品の鉗子１にはない最適形状の鉗子１を準備することが可能になる。したがって、本形態の鉗子１を使用すれば、最適な手術を行うことが可能になる。また、本形態では、手術時の状況によって、準備された鉗子１の屈曲部１ａと異なる形状や曲率の屈曲部１ａを有する鉗子１を執刀医が使用したくなった場合に、手術中に手術現場において、屈曲していた把持部１ｂの先端部を元の形状に戻してから再び、把持部１ｂの先端部を屈曲させて最適形状の屈曲部１ａを形成しているため、手術中に手術現場において、最適形状の鉗子１を得ることが可能になる。その結果、本形態の鉗子１を使用すれば、より最適な手術を行うことが可能になる。また、最適形状の鉗子１を手術現場で得ることが可能になるため、手術の効率の低下を抑制することが可能になる。
【００３４】
さらに、本形態では、把持部１ｂの先端部を屈曲させて屈曲部１ａを形成することで、最適形状の鉗子１を準備しているため、手術の際に比較的少ない種類の鉗子１を準備すれば良い。したがって、手術の準備が容易になる。また、手術の際に準備される鉗子１の種類が比較的少ないため、手術の際の、執刀医と器具出しの看護師との間のコミュニケーションが容易になり、手術の効率の低下を抑制することが可能になる。また、把持部１ｂの先端部を屈曲させて屈曲部１ａを形成することで、最適形状の鉗子１を準備しているため、従来のように、非常に多くの種類の鉗子の中から手術に必要な鉗子を事前カンファレンスで選定する必要がない。したがって、本形態では、手術前の事前カンファレンスでの鉗子１の選定作業が容易になる。
【００３５】
本形態では、把持部１ｂの温度が形状回復温度以上になると、屈曲していた把持部１ｂの先端部は、直線状をなす元の形状に戻る。そのため、本形態では、手術の前等に、直線状に形成される把持部１ｂの先端部を曲げて屈曲部１ａを形成すれば良い。したがって、本形態では、手術で必要とされる形状に屈曲部１ａを形成しやすくなる。
【００３６】
本形態では、把持部１ｂは、形状記憶合金で形成されているが、基部１ｃは、ステンレス鋼等の形状記憶合金以外の金属材料で形成されている。そのため、本形態では、鉗子１の全体が形状記憶合金で形成されている場合と比較して、鉗子１のコストを低減することが可能になる。
【００３７】
本形態では、焼嵌めまたはろう付けによって把持部１ｂと基部１ｃとが接合されている。そのため、本形態では、把持部１ｂと基部１ｃとの接合強度を高めることが可能になるとともに、把持部１ｂと基部１ｃとの接合部分の耐熱性を高めることが可能になる。また、本形態では、把持部１ｂと基部１ｃとを接合するための接着剤が使用されないため、生体毒性の少ない鉗子１を構成することが可能になる。なお、ネジによって把持部１ｂと基部１ｃとが接合される場合であっても同様の効果を得ることができる。
【００３８】
本形態では、把持部１ｂを構成する形状記憶合金の形状回復温度は、人間の体温以上となっている。そのため、本形態では、把持部１ｂが形状記憶合金で形成されていても、屈曲部１ａとなっている把持部１ｂの先端部が手術中に元の形状に戻るのを防止することが可能になる。また、本形態では、把持部１ｂを構成する形状記憶合金の形状回復温度が５０℃以上６０℃以下となっているため、手術中に、たとえば、加熱した生理食塩水に把持部１ｂの先端部を漬けることで、手術現場において、屈曲していた把持部１ｂの先端部を元の形状に確実に戻すことが可能になる。したがって、本形態では、実際の手術の状況に応じて、準備された鉗子１の屈曲部１ａと異なる形状や曲率の屈曲部１ａを有する鉗子１を執刀医が使用したくなった場合に、手術中に手術現場において、比較的容易に、屈曲していた把持部１ｂの先端部を元の形状に確実に戻してから再び屈曲させて、最適形状の屈曲部１ａを形成することが可能になる。
【００３９】
本形態では、把持部１ｂを構成する形状記憶合金の変態開始温度が０℃以上となっている。そのため、本形態では、手術中に手術現場において、元の形状に戻っている把持部１ｂの先端部を比較的容易に変態開始温度以下にすることが可能になる。したがって、本形態では、変態開始温度以下となっている把持部１ｂの先端部を再び屈曲させて、適切な屈曲部１ａを形成することが可能になる。
【００４０】
（他の実施の形態）
上述した形態の手術用器具は、患者の体内の組織を把持する際に使用される鉗子１であるが、本発明が適用される手術用器具は、図５に示すように、患者の体内の組織に引っ掛けて体内から組織を取り出す際に使用される鉤１１であっても良い。図５に示す例では、鉤１１の両端部は、屈曲している屈曲部１１ａとなっている。すなわち、屈曲部１１ａは、鉤１１の両端部のそれぞれを構成している。また、鉤１１は、屈曲部１１ａが形成される屈曲部形成部としての鉤状部１１ｂと、鉤状部１１ｂが接合される基部１１ｃとから構成されている。鉤状部１１ｂは、鉤１１の両端部のそれぞれを構成している。
【００４１】
鉤状部１１ｂは、把持部１ｂを構成する形状記憶合金と同様の形状記憶合金で形成されている。図５に示す例では、２個の鉤状部１１ｂのうちの一方の鉤状部１１ｂは、１枚の板状に形成され、他方の鉤状部１１ｂは、二股状に形成されている。鉤状部１１ｂの先端部は、屈曲部１１ａとなっている。屈曲部１１ａは、鉤１１が使用される手術で必要とされる形状に形成されている。たとえば、屈曲部１１ａは、曲面状（曲板状）に形成されている。また、鉤状部１１ｂの先端部（すなわち、鉤１１の先端部）の元の形状は、図６に示すように、平面状（平板状）になっている。そのため、鉤状部１１ｂの温度が形状回復温度以上になると、図５に示すように屈曲していた鉤状部１１ｂの先端部（すなわち、屈曲部１１ａ）は、図６に示すように平面状をなす元の形状に戻る。基部１１ｃは、基部１ｃと同様に、ステンレス鋼等の形状記憶合金以外の金属材料で形成されている。鉤状部１１ｂは、把持部１ｂが基部１ｃに接合されるのと同様に、基部１１ｃに接合されている。なお、屈曲部１１ａは、曲面状以外の形状に形成されていても良い。
【００４２】
上述した形態と同様に、図６に示すように元の形状に戻っている鉤状部１１ｂの先端部を手術前に屈曲させて、その手術で必要となる形状に屈曲部１１ａを形成することで、手術時に必要とされる１種類または何種類かの鉤１１を準備する。また、手術後の、オートクレーブによる鉤１１の洗浄、滅菌処理において、屈曲していた鉤状部１１ｂの先端部は、元の形状に戻る。また、手術時の状況によって、準備された鉤１１の屈曲部１１ａと異なる形状や曲率の屈曲部１１ａを有する鉤１１を執刀医が使用したくなった場合には、手術中に手術現場において、屈曲部１１ａを加熱して屈曲していた鉤状部１１ｂの先端部を元の形状に戻してから再び、鉤状部１１ｂの先端部を屈曲させて最適形状の屈曲部１１ａを形成する。図５、図６に示す鉤１１においても、上述した形態と同様の効果を得ることができる。なお、この場合にも、ペンチ等の工具を利用して、鉤状部１１ｂの先端部を屈曲させて屈曲部１１ａを形成する。
【００４３】
また、本発明が適用される手術用器具は、屈曲部１ａ、１１ａに相当する屈曲部が端部に形成されている器具であれば、鉗子１および鉤１１以外の器具であっても良い。たとえば、本発明が適用される手術用器具は、鑷子であっても良い。また、本発明が適用される手術用器具は、たとえば、患者の体内の組織を押し分けるためのへらであっても良いし、患者の体内の組織を切断したり剥離したりするための剪刀（はさみ）であっても良い。
【００４４】
上述した形態では、別体で形成される把持部１ｂと基部１ｃとが接合されることで鉗子１が構成されているが、一体で形成された把持部１ｂと基部１ｃとによって鉗子１が構成されても良い。この場合には、鉗子１の全体が形状記憶合金で形成される。同様に、図５に示す例では、別体で形成される鉤状部１１ｂと基部１１ｃとが接合されることで鉤１１が構成されているが、一体で形成された鉤状部１１ｂと基部１１ｃとによって鉤１１が構成されても良い。この場合には、鉤１１の全体が形状記憶合金で形成される。このように、手術用器具の全体が形状記憶合金で形成される場合には、手術用器具の全体を自由に変形させることが可能になるため、手術用器具の使い勝手を高めることが可能になる。また、画期的な手術用器具を形成することが可能になる。
【００４５】
上述した形態では、把持部１ｂおよび鉤状部１１ｂを構成する形状記憶合金の形状回復温度は、５０℃以上６０℃以下となっているが、この形状記憶合金の形状回復温度は、人間の体温以上となっているのであれば、５０℃未満であっても良いし、６０℃を超えても良い。また、上述した形態では、把持部１ｂおよび鉤状部１１ｂを構成する形状記憶合金の変態開始温度は、０℃以上となっているが、この形状記憶合金の変態開始温度は、０℃未満であっても良い。なお、上述した形態の形状記憶合金の変態開始温度は、人間の体温以上となっていることが好ましい。このように構成すると、把持部１ｂや鉤状部１１ｂが形状記憶合金で形成されていても、屈曲部１ａとなっている把持部１ｂの先端部や屈曲部１１ａとなっている鉤状部１１ｂの先端部が手術中に変形するのを防止することが可能になる。
【００４６】
上述した形態では、ペンチ等の工具を利用して、把持部１ｂの先端部や鉤状部１１ｂの先端部を屈曲させて屈曲部１ａ、１１ａを形成しているが、把持部１ｂの先端部や鉤状部１１ｂの先端部を屈曲させて屈曲部１ａ、１１ａを形成するための屈曲用治具（図示省略）を用いて、把持部１ｂの先端部や鉤状部１１ｂの先端部を屈曲させて屈曲部１ａ、１１ａを形成しても良い。屈曲用治具は、たとえば、屈曲部１ａ、１１ａの形状に応じて形成された屈曲用の孔を有する金属製のブロックである。この場合には、屈曲用治具を用いて、元の形状に戻っている把持部１ｂの先端部や鉤状部１１ｂの先端部を比較的容易に曲げて屈曲部１ａ、１１ａを形成することが可能になる。なお、この場合には、鉗子１と屈曲用治具とによって、あるいは、鉤１１と屈曲用治具とによって手術用器具システムが構成される。
【００４７】
上述した形態では、焼嵌めまたはろう付けによって把持部１ｂと基部１ｃとが接合されているが、基部１ｃの固定孔１ｈに把持部１ｂの被接合部１ｄが圧入されるとともに接着剤を用いて把持部１ｂと基部１ｃとが接合されても良い。
【００４８】
上述した形態では、把持部１ｂの先端部の元の形状は、直線状になっているが、把持部１ｂの先端部の元の形状は、曲線状等の屈曲した形状であっても良い。また、図５に示す例では、鉤状部１１ｂの先端部の元の形状は、平面状になっているが、鉤状部１１ｂの先端部の元の形状は、曲面状等の屈曲した形状であっても良い。
【符号の説明】
【００４９】
１  鉗子（手術用器具）
１ａ  屈曲部
１ｂ  把持部（屈曲部形成部）
１ｃ  基部
１１  鉤（手術用器具）
１１ａ  屈曲部
１１ｂ  鉤状部（屈曲部形成部）
１１ｃ  基部
【図１】
2015053945.tif 000003
【図２】
2015053945.tif 000004
【図３】
2015053945.tif 000005
【図４】
2015053945.tif 000006
【図５】
2015053945.tif 000007
【図６】
2015053945.tif 000008